(57)【特許請求の範囲】
【請求項１】
受信したベースバンド信号から検出したキャリア位相信号から雑音成分を除去するキャリア再生フィルタと、
キャリア位相信号に基づいてキャリア信号を再生するキャリア再生部と、
キャリア信号を用いてキャリア同期を行なう受信部と、
キャリア信号から復調された無線フレームから送信側位相雑音特性を抽出する位相雑音情報抽出部と、
抽出した送信側位相雑音特性と所定の受信側位相雑音特性とを加算して総合位相雑音特性を算出し、その総合位相雑音特性と予め設定した閾値との比較に基づいて、前記キャリア再生フィルタが持つべき最適なフィルタ特性を選択するフィルタ特性選択部を具備した無線通信装置。
【請求項２】
最初に受信したベースバンド信号に対しては、予め設定したデフォルト値をキャリア再生フィルタのフィルタ特性として適用し、後続のベースバンド信号に対してはフィルタ特性選択部により選択したフィルタ特性をキャリア再生フィルタに適用するようにした請求項１記載の無線通信装置。
【請求項３】
所定の送信側位相雑音特性を無線フレームに格納する位相雑音情報格納部と、
所定の送信側位相雑音特性を格納した無線フレームをベースバンド信号に変調する変調部と、
ベースバンド信号をＲＦ信号に変換する送信部を具備した請求項１記載の無線通信装置。
【請求項４】
前記フィルタ特性選択部は、総合位相雑音特性が閾値より大きい場合には広帯域のフィルタ特性を選択し、総合位相雑音特性が閾値より小さい場合には狭帯域のフィルタ特性を選択するようにした請求項１記載の無線通信装置。
【請求項５】
受信したベースバンド信号から検出したキャリア位相信号から雑音成分を除去し、
キャリア位相信号に基づいてキャリア信号を再生し、
キャリア信号を用いてキャリア同期を行ない、
キャリア信号から復調された無線フレームから送信側位相雑音特性を抽出し、
抽出した送信側位相雑音特性と所定の受信側位相雑音特性とを加算して総合位相雑音特性を算出し、
総合位相雑音特性と予め設定した閾値との比較に基づいて、前記キャリア再生フィルタが持つべき最適なフィルタ特性を選択するようにしたキャリア再生方法。
【請求項６】
最初に受信したベースバンド信号に対しては、予め設定したデフォルト値のフィルタ特性を適用してキャリア位相信号から位相雑音を除去し、後続のベースバンド信号に対しては選択したフィルタ特性を適用してキャリア位相信号から位相雑音を除去するようにした請求項５記載のキャリア再生方法。
【請求項７】
受信した無線信号に対して請求項５記載のキャリア再生方法を実行し、再生したキャリア信号に対してキャリア同期を行い、以って、キャリア同期された無線信号を復調する無線通信方法。
【請求項８】
送信信号と送信側位相雑音特性を無線フレームに格納し、
前記無線フレームをベースバンド信号に変調し、
前記ベースバンド信号を無線信号に変換し、
前記無線信号を送信するようにした請求項７記載の無線通信方法。
【請求項９】
コンピュータに読み込み可能なプログラムであって、
受信したベースバンド信号から検出したキャリア位相信号から雑音成分を除去し、
キャリア位相信号に基づいてキャリア信号を再生し、
キャリア信号を用いてキャリア同期を行ない、
キャリア信号から復調された無線フレームから送信側位相雑音特性を抽出し、
抽出した送信側位相雑音特性と所定の受信側位相雑音特性とを加算して総合位相雑音特性を算出し、
総合位相雑音特性と予め設定した閾値との比較に基づいて、前記キャリア再生フィルタが持つべき最適なフィルタ特性を選択する無線通信方法を実現するプログラム。
【請求項１０】
最初に受信したベースバンド信号に対しては、予め設定したデフォルト値のフィルタ特性を適用してキャリア位相信号から位相雑音を除去し、後続のベースバンド信号に対しては選択したフィルタ特性を適用してキャリア位相信号から位相雑音を除去するようにした無線通信方法を実現する請求項９記載のプログラム。
【発明の詳細な説明】
【技術分野】
【０００１】
本発明は、ベースバンド信号より検出したキャリア位相信号から位相雑音成分を除去してキャリア再生を行なう無線通信装置及び無線通信方法に関する。
本願は、２００９年９月４日に、日本国に出願された特願２００９−２０４６１４号に基づき優先権を主張し、その内容をここに援用する。
【背景技術】
【０００２】
近年、無線通信品質を向上すべく種々の技術が開発されており、例えば、ベースバンド信号より検出したキャリア位相信号から位相雑音成分を除去してキャリア再生を行なう無線通信装置が開発されている。
図４は、キャリア位相雑音除去機能を有する無線通信装置を示すブロック図である。ここでは、第１無線通信装置３００と第２無線通信装置４００との間で無線通信が行なわれている。【０００３】
第１無線通信装置３００において、アンテナ２４は第２無線通信装置４００から送信された無線信号を受信して受信部２５に送出する。また、アンテナ２４は送信部３０より入力した送信信号を第２無線通信装置４００に送信する。
第１無線通信装置３００の受信部２５は、アンテナ２４の受信信号をベースバンド信号に変換して、クロック同期及びキャリア同期を行なって、復調部２８及びキャリア再生部２６に出力する。【０００４】
第１無線通信装置３００のキャリア再生部２６は、ベースバンド信号よりキャリア位相信号を検出してキャリア再生フィルタ２７に出力する。キャリア再生部２６は、キャリア再生フィルタ２７において雑音成分が除去されたキャリア位相信号を用いてキャリア再生を行なう。キャリア再生部２６は、再生したキャリア信号を受信部２５に出力して、ベースバンド信号のキャリア同期を行なわせる。
第１無線通信装置３００のキャリア再生フィルタ２７は、設計時に想定した位相雑音特性に合わせて決定したフィルタ特性に従って、キャリア再生部２６より入力したキャリア位相信号から雑音成分を除去する。キャリア再生フィルタ２７は、雑音成分を除去したキャリア位相信号をキャリア再生部２６に戻す。【０００５】
第１無線通信装置３００の復調部２８は、受信部２５よりベースバンド信号を入力して復調し、復調された無線フレームを外部装置に送出する。一方、変調部２９は外部装置より入力した無線フレームを変調し、ベースバンド信号として送信部３０に出力する。送信部３０は、変調部２９より入力したベースバンド信号を無線周波数信号（ＲＦ信号）に変換してアンテナ２４に送出する。【０００６】
第２無線通信装置４００は変調部２１、送信部２２、アンテナ２３、受信部３１、キャリア再生部３２、キャリア再生フィルタ３３、及び復調部３４を具備しており、第１無線通信装置３００と同様の無線通信処理を行なう。【０００７】
特許文献１は、無線通信装置において基準信号と受信信号を比較して位相雑音を検出する位相雑音検出機能を具備する位相同期回路を開示している。
【先行技術文献】
【特許文献】
【０００８】
【特許文献１】特開平０２−４６０４５号公報
【発明の概要】
【発明が解決しようとする課題】
【０００９】
上記の無線通信装置では、設計時に想定された位相雑音特性に合わせてキャリア再生フィルタのフィルタ特性が固定されているため、ＢＥＲ（Ｂｉｔ  Ｅｒｒｏｒ  Ｒａｔｅ）の劣化や安定したキャリア同期ができないという問題点がある。これは、無線通信装置が実際に持つ位相雑音特性が設計時に想定した位相雑音特性と離間している場合や、実際に無線通信に関与する送信部と受信部の組み合わせにより位相雑音特性が変化する場合に、無線通信装置が実際に持つ位相雑音特性に対してフィルタ特性を最適化できないためである。【００１０】
無線通信装置が実際に持つ位相雑音特性に対して広帯域なフィルタ特性を設定するとＢＥＲ劣化が発生し、一方、狭帯域なフィルタ特性を設定するとキャリア再生が位相雑音に追従できず安定したキャリア同期を得ることができない。このような問題点に対応するには、無線送受信に供する複数の無線通信装置を対向配置した状態で位相雑音を位相雑音検出器で検出し、キャリア再生フィルタを適切に選択する必要がある。この場合、無線通信装置内に位相雑音検出器を具備するため、複雑な構成とする必要があった。
【課題を解決するための手段】
【００１１】
本発明は、上記の事情に鑑みてなされたものであり、簡単な構成で、ベースバンド信号より検出したキャリア位相信号から位相雑音成分を除去する機能を実現した無線通信装置及び無線通信方法を提供するものである。【００１２】
本発明に係る無線通信装置は、受信したベースバンド信号から検出したキャリア位相信号から雑音成分を除去するキャリア再生フィルタと、キャリア位相信号に基づいてキャリア信号を再生するキャリア再生部と、キャリア信号を用いてキャリア同期を行なう受信部と、キャリア信号から復調された無線フレームから送信側位相雑音特性を抽出する位相雑音情報抽出部と、抽出した送信側位相雑音特性と所定の受信側位相雑音特性とを加算して総合位相雑音特性を算出し、その総合位相雑音特性と予め設定した閾値との比較に基づいて、前記キャリア再生フィルタが持つべき最適なフィルタ特性を選択するフィルタ特性選択部を具備する。
ここで、最初に受信したベースバンド信号に対しては、予め設定したデフォルト値をキャリア再生フィルタのフィルタ特性として適用し、後続のベースバンド信号に対してはフィルタ特性選択部により選択したフィルタ特性をキャリア再生フィルタに適用する。
【００１３】
本発明に適用されるキャリア再生方法は、受信したベースバンド信号から検出したキャリア位相信号から雑音成分を除去し、キャリア位相信号に基づいてキャリア信号を再生し、キャリア信号を用いてキャリア同期を行ない、キャリア信号から復調された無線フレームから送信側位相雑音特性を抽出し、抽出した送信側位相雑音特性と所定の受信側位相雑音特性とを加算して総合位相雑音特性を算出し、総合位相雑音特性と予め設定した閾値との比較に基づいて、前記キャリア再生フィルタが持つべき最適なフィルタ特性を選択する。本発明に係る無線通信方法は、受信した無線信号に対して上記のキャリア再生方法を実行し、再生したキャリア信号に対してキャリア同期を行い、以って、キャリア同期された無線信号を復調する。また、送信信号と送信側位相雑音特性を無線フレームに格納し、無線フレームをベースバンド信号に変調し、ベースバンド信号を無線信号に変換して送信する。
ここで、最初に受信したベースバンド信号に対しては、予め設定したデフォルト値のフィルタ特性を適用してキャリア位相信号から位相雑音を除去し、後続のベースバンド信号に対しては選択したフィルタ特性を適用してキャリア位相信号から位相雑音を除去する。
【００１４】
上記の無線通信方法をコンピュータに読み込み可能なプログラムにより実現してもよい。
【発明の効果】
【００１５】
本発明によれば、無線通信装置が実際に持つ位相雑音特性に最適化したフィルタ特性をキャリア再生フィルタに適用するため、実際の位相雑音特性に拘らずキャリア同期を安定して実行し、かつ、キャリア同期外れを防止した信頼性の高い無線通信技術を実現することができる。
【図面の簡単な説明】
【００１６】
【図１】本発明の好適な実施例に係る無線通信装置を示すブロック図である。
【図２】本実施例に係る無線通信装置における位相雑音除去及びキャリア再生処理を示すフローチャートである。
【図３】本実施例に係る無線通信装置におけるフィルタ特性選択処理を示すフローチャートである。
【図４】キャリア位相雑音除去機能を有する無線通信装置を示すブロック図である。
【発明を実施するための形態】
【００１７】
本発明について実施例とともに添付図面を参照して詳細に説明する。
図１は、本発明の好適な実施例に係る無線通信装置を示すブロック図である。ここでは、第１無線通信装置１００と第２無線通信装置２００との間で無線通信が行われている。
【００１８】
第１無線通信装置１００において、アンテナ５は第２無線通信装置２００から受信した信号を受信部６に送出し、一方、送信部１４より入力した信号を第２無線通信装置２００に送信する。
受信部６は、ベースバンド信号に対してクロック同期及びキャリア同期を行い、復調部９及びキャリア再生部７に出力する。受信部６は、受信側位相雑音特性テーブル６１に予め記憶された受信側位相雑音特性を読み出し、フィルタ特性選択部１１に出力する。
【００１９】
キャリア再生部７は、ベースバンド信号よりキャリア位相信号を検出してキャリア再生フィルタ８に出力する。キャリア再生フィルタ８は、キャリア位相信号から雑音成分を除去して、キャリア再生部７に戻す。キャリア再生部７は、そのキャリア位相信号を用いてキャリア再生を行ない、キャリア信号を受信部６に出力し、ベースバンド信号のキャリア同期を行なわせる。
【００２０】
キャリア再生フィルタ８は、フィルタ特性選択部１１より入力したフィルタ設定値に基づいてフィルタ特性を変化させて、キャリア再生部７より入力したキャリア位相信号から雑音成分を除去する。キャリア再生フィルタ８は、雑音成分を除去したキャリア位相信号をキャリア再生部７に戻す。
復調部９は、受信部６より入力したベースバンド信号を復調する。復調部９は、復調した無線フレームを外部装置に出力するとともに、位相雑音情報抽出部１０に出力する。
【００２１】
位相雑音情報抽出部１０は、復調部９より入力した無線フレームから第２無線通信装置２００の送信側位相雑音特性を抽出する。位相雑音情報抽出部１０は、送信側位相雑音特性をフィルタ特性選択部１１に出力する。
フィルタ特性選択部１１は、位相雑音情報抽出部１０で抽出した第２無線通信装置２００の送信側位相雑音特性と、受信部６より入力した受信側位相雑音特性に基づき、キャリア再生フィルタ８が持つべき最適なフィルタ特性を選択する。フィルタ特性選択部１１は、選択したフィルタ特性に対応するフィルタ設定値をフィルタ特性テーブル１１１から読み出す。フィルタ特性選択部１１は、読み出したフィルタ設定値をキャリア再生フィルタ８に出力する。
【００２２】
位相雑音情報格納部１２は、外部装置からの入力信号とともに送信部１４より入力した送信側位相雑音特性を無線フレームに格納して変調部１３に出力する。
変調部１３は、位相雑音情報格納部１２より入力した無線フレームを変調し、ベースバンド信号として送信部１４に出力する。
送信部１４は、変調部１３より入力したベースバンド信号を無線周波数信号（ＲＦ信号）に変換してアンテナ５に送出する。送信部１４は、送信側位相雑音特性テーブル１４１に予め記憶された送信側位相雑音特性を読み出し、位相雑音情報格納部１２に出力する。
【００２３】
第２無線通信装置２００は、位相雑音情報格納部１、変調部２、送信部３、アンテナ４、受信部１５、キャリア再生部１６、キャリア再生フィルタ１７、復調部１８、位相雑音情報抽出部１９、フィルタ特性選択部２０、送信側位相雑音特性テーブル３１、受信側位相雑音特性テーブル１５１、及びフィルタ特性テーブル２０１を具備し、第１無線通信装置１００と同様の無線通信処理を行なう。
【００２４】
次に、本実施例において特徴的な構成部位の動作について説明する。
受信部６は、アンテナ５にて受信されたＲＦ信号をベースバンド信号に変換する。また、受信部６は受信側位相雑音特性テーブル６１に記憶された受信側位相雑音特性をフィルタ特性選択部１１に出力する。即ち、予め測定された受信部６の位相雑音特性を受信側位相雑音特性テーブル６１に記憶しておき、受信部６が読み出してフィルタ特性選択部１１に出力する。この受信側位相雑音特性として、例えば、受信したキャリア信号の周波数における信号強度を基準とし、その基準信号強度と特定のオフセット周波数離れた箇所の信号強度との比を用いることができる。
【００２５】
送信部１４は、変調部１３より入力したベースバンド信号をＲＦ信号に変換する。また、送信部１４は送信側位相雑音特性テーブル１４１から送信側位相雑音特性を読み出して、位相雑音情報格納部１２に出力する。即ち、予め測定された送信部１４の位相雑音特性を送信側位相雑音特性テーブル１４１に記憶しておき、送信部１４が読み出して位相雑音情報格納部１２に出力する。送信側位相雑音特性として、例えば、送信したキャリア信号の周波数における信号強度を基準とし、その基準信号強度と特定のオフセット周波数離れた箇所の信号強度との比を用いることができる。
【００２６】
位相雑音情報抽出部１０は、第２無線通信装置２００の送信部３の送信側位相雑音特性を復調部９で復調した無線フレームから抽出する。位相雑音情報抽出部１０は、抽出した送信側位相雑音特性をフィルタ特性選択部１１に出力し、キャリア再生フィルタ８のフィルタ特性を選択させる。
【００２７】
フィルタ特性選択部１１は、第１無線通信装置１００の受信部６の受信側位相雑音特性と、第２無線通信装置２００の送信部３の送信側位相雑音特性とを入力する。フィルタ特性選択部１１は、受信側位相雑音特性と送信側位相雑音特性より総合位相雑音特性を算出し、総合位相雑音特性を用いて第１無線通信装置１００が実際に持つ位相雑音特性に最適なキャリア再生フィルタ８のフィルタ特性を選択するとともに、選択したフィルタ特性に対応するフィルタ設定値をキャリア再生フィルタ８に設定する。フィルタ特性選択部１１は、総合位相雑音特性を算出する際、送信側位相雑音特性と受信側位相雑音特性を加算する。この算出方法では、第２無線通信装置２００から第１無線通信装置１００にＲＦ信号を送信する場合に発生する位相雑音の影響を考慮して、第２無線通信装置２００の送信側位相雑音特性と第１無線通信装置１００の受信側位相雑音特性の両方をキャリア再生フィルタ８のフィルタ特性の選択材料とすることができる。また、この算出方法では、位相雑音が大きいほど、総合位相雑音特性の値も大きくなる。
【００２８】
次に、フィルタ特性選択部１１は算出された総合位相雑音特性から最適なキャリア再生フィルタ８のフィルタ特性を選択する。最適なフィルタ特性の選択方法として、例えば、広帯域及び狭帯域の２種類のフィルタ特性並びにそのフィルタ特性を切り替える閾値を予め設定しておき、総合位相雑音特性と閾値とを比較して２種類のフィルタ特性を切り替える。一般に、位相雑音の大きい無線通信装置ではキャリア信号の周波数変化に追従する必要があるため、広帯域なフィルタ特性が求められ、一方、位相雑音が小さい無線通信装置ではフィルタで発生する雑音を減らすため狭帯域なフィルタ特性が求められる。上記の方法にて総合位相雑音特性と閾値との比較を行なう場合、総合位相雑音特性が大きい（即ち、位相雑音が大きい）場合には広帯域なフィルタ特性を選択し、一方、総合位相雑音特性が小さい（即ち、位相雑音が小さい）場合には狭帯域なフィルタ特性を選択する。このようにして、位相雑音特性に最適なフィルタ特性を選択することができる。
【００２９】
フィルタ特性選択部１１は、選択されたフィルタ特性に対応したフィルタ設定値をフィルタ特性テーブル１１１から読み出してキャリア再生フィルタ８に設定する。キャリア再生フィルタ８に設定するフィルタ設定値として、例えば、デジタルフィルタのタップ係数がある。
【００３０】
次に、位相雑音情報格納部１２は第１無線通信装置１００の送信部１４より入力した送信側位相雑音特性を無線フレームに格納する。無線フレームは、変調部１３、送信部１４、及びアンテナ５を介して第２無線通信装置２００に送信される。第２無線通信装置２００は、無線フレームから送信側位相雑音特性を抽出してキャリア再生フィルタ１７のフィルタ特性の選択に用いる。
【００３１】
次に、本実施例に係る無線通信装置における位相雑音除去及びキャリア再生処理について図２のフローチャートを参照して説明する。
ここでは、第１無線通信装置が第２無線通信装置からの信号を受信する場合について説明する。
先ず、第２無線通信装置２００の送信信号が外部装置により位相雑音情報格納部１に入力される。同時に、送信部３により送信側位相雑音特性テーブル３１より読み出された送信側位相雑音特性が位相雑音情報格納部１に入力される。送信信号と送信側位相雑音特性は無線フレームに格納され、変調部２に出力される。
次に、変調部２は無線フレームをベースバンド信号に変換して送信部３に出力する。送信部３は、ベースバンド信号をＲＦ信号に変換して、アンテナ４を介して第１無線通信装置１００に送信する。
【００３２】
第１無線通信装置１００は、第２無線通信装置２００から送信されたＲＦ信号をアンテナ５によりして受信し、当該ＲＦ信号は受信部６に入力される（ステップＳ１０１）。受信部６は、ＲＦ信号をベースバンド信号に変換する（ステップＳ１０２）。受信部６は、ベースバンド信号を復調部９及びキャリア再生部７に出力する。
【００３３】
キャリア再生部７は、ベースバンド信号からキャリア位相信号を検出する（ステップＳ１０３）。このキャリア位相信号には雑音成分が含まれているため、そのまま用いても安定したキャリア再生ができない。そのため、キャリア位相信号の雑音成分を除去する必要がある。雑音成分を除去するため、キャリア再生部７はキャリア位相信号をキャリア再生フィルタ８に出力する。
【００３４】
キャリア再生フィルタ８は、キャリア再生部７から入力したキャリア位相信号から雑音成分を除去する（ステップＳ１０４）。ここで、第１無線通信装置１００が第２無線通信装置２００の送信側位相雑音特性を受信していない場合には、キャリア再生フィルタ８のフィルタ特性はデフォルト値に設定される。このフィルタ特性のデフォルト値は第１無線通信装置１００が実際に持つ位相雑音特性を最適化したものではない。キャリア再生フィルタ８は、雑音成分を除去したキャリア位相信号をキャリア再生部７に戻す。キャリア再生部７では、キャリア再生フィルタ８で雑音成分を除去したキャリア位相信号に基づいてキャリア信号を再生する（ステップＳ１０５）。キャリア再生部７は、再生したキャリア信号を受信部６に出力する。この再生したキャリア信号は、キャリア同期を行なうために用いられる。
【００３５】
次に、受信部６はキャリア同期が行なわれたベースバンド信号を復調部９に出力し、復調部９はそのベースバンド信号を復調する（ステップＳ１０６）。復調部９は、ベースバンド信号から復調した無線フレームを外部装置に送出するとともに、位相雑音情報抽出部１０に出力する。
位相雑音情報抽出部１０は、無線フレームから第２無線通信装置２００の送信側位相雑音特性を抽出し（ステップＳ１０７）、フィルタ特性選択部１１に出力する。受信部６は、予め測定された第１無線通信装置１００の受信側位相雑音特性を受信側位相雑音特性テーブル６１から読み出し、フィルタ特性選択部１１に出力する。
【００３６】
フィルタ特性選択部１１は、送信側位相雑音特性と受信側位相雑音特性とを加算して総合位相雑音特性を算出する（ステップＳ１０８）。この算出方法では、第２無線通信装置２００の送信部３の送信側位相雑音特性と、第１無線通信装置１００の受信部６の受信側位相雑音特性が大きいほど、大きい総合位相雑音特性を得ることができる。フィルタ特性選択部１１は、算出した総合位相雑音特性に基づいて第１無線通信装置１００が実際に持つ位相雑音特性に最適なフィルタ特性を選択する（ステップＳ１０９）。
【００３７】
図３は、フィルタ特性選択処理を示すフローチャートである。ここで、フィルタ特性選択部１１は単一の閾値を用いて予め設定した２種類のフィルタ特性のいずれかを選択する。
先ず、フィルタ特性選択部１１は総合位相雑音特性を算出する（ステップＳ１０８１）。フィルタ特性選択部１１は、総合位相雑音特性と閾値とを比較する（ステップＳ１０８２）。総合位相雑音特性が閾値に比べて大きい（即ち、位相雑音が大きい）場合、第１無線通信装置１００が実際に持つ位相雑音特性に適合した広帯域なフィルタ特性を選択する（ステップＳ１０８３）。一方、総合位相雑音特性が閾値に比べて小さい（即ち、位相雑音が小さい）場合、第１無線通信装置１００が実際に持つ位相雑音特性に適合した狭帯域なフィルタ特性を選択する（ステップＳ１０８４）。
【００３８】
次に、フィルタ特性選択部１１は選択したフィルタ特性に対応したフィルタ設定値をフィルタ特性テーブル１１１から読み出して、キャリア再生フィルタ８に設定する。キャリア再生フィルタ８は、選択されたフィルタ特性に従ったフィルタリングを実行する。
【００３９】
以降、第１無線通信装置１００のキャリア再生部７は、フィルタ特性選択部１１で選択されたフィルタ特性を有するキャリア再生フィルタ８を用いてキャリア信号を再生する（ステップＳ１１０）。ここで、フィルタ特性選択部１１で選択されたフィルタ特性は第１無線通信装置１００が実際に持つ位相雑音特性に最適化されているので、受信部６は安定したキャリア同期を行なうことができる。第２無線通信装置２００も第１無線通信装置１００と同様にフィルタ特性選択処理を実行する。即ち、フィルタ特性選択部２０は第１無線通信装置１００の送信部１４の送信側位相雑音特性と第２無線通信装置２００の受信部１５の受信側位相雑音特性を用いてキャリア再生フィルタ１７のフィルタ特性を選択する。
【００４０】
尚、本実施例では無線通信を行う各無線通信装置について１回のみフィルタ特性選択処理を実行すればよい。
また、本実施例では単一の閾値に基づいて２種類のフィルタ特性のいずれかを選択したが、これに限定されるものではない。即ち、複数の閾値を用いるとともに、総合位相雑音特性をクラス分けし、クラス毎に異なるフィルタ特性を選択するようにしてもよい。
【００４１】
本発明は、以下の効果を奏する。
（１）無線通信装置が実際に持つ位相雑音特性に最適化したキャリア再生フィルタを用いてキャリア再生を行なっているので、その位相雑音特性に拘らず安定してキャリア再生を行なうことができる。このため、キャリア同期外れを防止した信頼性の高い無線通信装置を実現することができる。
（２）無線通信装置が実際に持つ位相雑音特性に最適化したキャリア再生フィルタを用いてキャリア再生を行なっているので、容易にキャリア再生を位相雑音の追従させることができ、以って、位相雑音によるＢＥＲの劣化を防止した無線通信装置を実現することができる。
【００４２】
本発明に係る無線通信装置は、内部にコンピュータ（或いは、マイクロプロセッサ）を具備する。そのため、本発明に係る処理をプログラム形式でコンピュータ読み取り可能な記録媒体に予め記憶し、当該プログラムを読み出して実行することにより、本発明の機能を実現できる。尚、コンピュータ読み取り可能な記録媒体とは、磁気ディスク、光磁気ディスク、ＣＤ−ＲＯＭ、ＤＶＤ−ＲＯＭ、及び半導体メモリをいう。また、プログラムを通信回線を経由してコンピュータに配信し、当該コンピュータがプログラムを実行することにより、本発明の機能を実現するようにしてもよい。
【００４３】
上記のプログラムは、本発明の機能の一部を実現するものであってもよい。或いは、上記プログラムを差分ファイル（又は、差分プログラム）とし、コンピュータに予め搭載されているプログラムと組み合わせて実行して、本発明の機能を実現するようにしてもよい。
【産業上の利用可能性】
【００４４】
本発明は、キャリア再生フィルタを用いてキャリア再生及びキャリア同期を行なう無線通信装置に適用されるものであり、特に、ＦＤＤ（Ｆｒｅｑｕｅｎｃｙ  Ｄｉｖｉｓｉｏｎ  Ｄｕｐｌｅｘ）方式やＴＤＤ（Ｔｉｍｅ  Ｄｉｖｉｓｉｏｎ  Ｄｕｐｌｅｘ）方式の双方向無線通信システムに適用されうるものである。
【符号の説明】
【００４５】
１、１２    位相雑音情報格納部
２、１３    変調部
３、１４    送信部
４、５      アンテナ
６、１５    受信部
７、１６    キャリア再生部
８、１７    キャリア再生フィルタ
９、１８    復調部
１０，１９  位相雑音情報抽出部
１１、２０  フィルタ特性選択部
３１、１４１  送信側位相雑音特性テーブル
６１、１５１  受信側位相雑音特性テーブル
１１１、２０１  フィルタ特性テーブル
【図１】
0005605366.tif 000002
【図２】
0005605366.tif 000003
【図３】
0005605366.tif 000004
【図４】
0005605366.tif 000005